(57)【要約】【課題】特定の分類分野に主として属する者に備わる特有の体型に対する対象者の体型の適合度について判定する体型適合度判定装置を提供する。【解決手段】体組成情報取得手段おいて、対象体型を形成する身体部位の体組成情報を少なくとも含んだ体組成情報を取得し、複合的体組成情報因子演算手段において、この取得した対象体型を形成する身体部位の体組成情報を少なくとも含んだ体組成情報を複合的体組成情報因子演算式記憶手段に記憶する複合的体組成情報因子演算式に代入することによって特定分類分野特有体型を司る複数種の複合的体組成情報因子を演算し、適合性判定手段において、この演算した特定分類分野特有体型を司る複数種の複合的体組成情報因子を適合度判定基準記憶手段に記憶する適合度判定基準に照合することによって特定分類分野特有体型に対する対象体型の適合度について判定する。【選択図】図３
2007082738.tif 000002
【特許請求の範囲】
【請求項１】
対象体型を形成する身体部位の体組成情報を少なくとも含んだ体組成情報を取得する体組成情報取得手段と、
対象体型を形成する身体部位の体組成情報を少なくとも含んだ体組成情報に基づいて特定分類分野特有体型を司る複数種の複合的体組成情報因子を演算するための複合的体組成情報因子演算式を記憶する複合的体組成情報因子演算式記憶手段と、
前記体組成情報取得手段により取得した対象体型を形成する身体部位の体組成情報を少なくとも含んだ体組成情報を前記複合的体組成情報因子演算式記憶手段に記憶する複合的体組成情報因子演算式に代入することによって特定分類分野特有体型を司る複数種の複合的体組成情報因子を演算する複合的体組成情報因子演算手段と、
特定分類分野特有体型を司る複数種の複合的体組成情報因子に基づいて特定分類分野特有体型に対する対象体型の適合度について判定するための適合度判定基準を記憶する適合度判定基準記憶手段と、
前記複合的体組成情報因子演算手段により演算した特定分類分野特有体型を司る複数種の複合的体組成情報因子を前記適合度判定基準記憶手段に記憶する適合度判定基準に照合することによって特定分類分野特有体型に対する対象体型の適合度について判定する適合性判定手段と、
を備える体型適合度判定装置。
【請求項２】
前記体組成情報取得手段は、男女の区別を取得するとともに、前記複合的体組成情報因子演算式記憶手段により記憶する複合的体組成情報因子演算式を成立させている身体部位の体組成情報を少なくとも含んだ体組成情報を取得し、
前記複合的体組成情報因子演算式記憶手段は、男性用として、脂肪因子＝ａｍ１×左腕ＦＭＩ＋ａｍ２×右腕ＦＭＩ＋ａｍ３×左脚ＦＭＩ＋ａｍ４×右脚ＦＭＩ＋ａｍ５×体幹ＦＭＩ［ただし、ａｍ１、ａｍ２、ａｍ３、ａｍ４、ａｍ５は定数］、筋肉因子＝ｂｍ１×右腕ＬＭＩ＋ｂｍ２×左腕ＬＭＩ＋ｂｍ３×全身ＬＭＩ＋ｂｍ４×体幹ＬＭＩ［ただし、ｂｍ１、ｂｍ２、ｂｍ３、ｂｍ４は定数］、上肢優位因子＝ｃｍ１×右脚ＬＭＩ＋ｃｍ２×左脚ＬＭＩ＋ｃｍ３×両脚筋肉量／両腕筋肉量＋ｃｍ４×両脚脂肪量／両腕脂肪量［ただし、ｃｍ１、ｃｍ２、ｃｍ３、ｃｍ４は定数］、筋肉左右差因子＝ｄｍ１×（右腕筋肉量／左腕筋肉量−１）［ただし、ｄｍ１は定数］のうちの複数と、女性用として、脂肪因子＝ａｆ１×左腕ＦＭＩ＋ａｆ２×右腕ＦＭＩ＋ａｆ３×左脚ＦＭＩ＋ａｆ４×右脚ＦＭＩ＋ａｆ５×体幹ＦＭＩ［ただし、ａｆ１、ａｆ２、ａｆ３、ａｆ４、ａｆ５は定数］、脚部筋肉因子＝ｅｆ１×左脚ＬＭＩ＋ｅｆ２×右脚ＬＭＩ［ただし、ｅｆ１、ｅｆ２は定数］、上肢優位因子＝ｃｆ１×左腕ＬＭＩ＋ｃｆ２×右腕ＬＭＩ＋ｃｆ３×両脚筋肉量／両腕筋肉量＋ｃｆ４×体幹ＬＭＩ＋ｃｆ５×全身ＬＭＩ＋ｃｆ６×両脚脂肪量／両腕脂肪量［ただし、ｃｆ１、ｃｆ２、ｃｆ３、ｃｆ４、ｃｆ５、ｃｆ６は定数］、筋肉左右差因子＝ｄｆ１×（右腕筋肉量／左腕筋肉量−１）［ただし、ｄｆ１は定数］のうちの複数とを前記複合的体組成情報因子演算式として記憶し、
前記複合的体組成情報因子演算手段は、前記体組成情報取得手段により取得した男女の区別に応じた前記複合的体組成情報因子演算式にて前記特定分類分野特有体型を司る複数種の複合的体組成情報因子を演算することを特徴とする請求項１記載の体型適合度判定装置。
【請求項３】
前記身体部位の体組成情報が、左腕ＦＭＩ、右腕ＦＭＩ、左脚ＦＭＩ、右脚ＦＭＩ、体幹ＦＭＩ、左腕ＬＭＩ、右腕ＬＭＩ、左脚ＬＭＩ、右脚ＬＭＩ、体幹ＬＭＩ、左腕脂肪量、右腕脂肪量、左脚脂肪量、右脚脂肪量、体幹脂肪量、両腕脂肪量、両脚脂肪量、左腕筋肉量、右腕筋肉量、左脚筋肉量、右脚筋肉量、体幹筋肉量、両腕筋肉量、両脚筋肉量、左腕脂肪率、右腕脂肪率、左脚脂肪率、右脚脂肪率、体幹脂肪率、両腕脂肪率、両脚脂肪率、左腕除脂肪量、右腕除脂肪量、左脚除脂肪量、右脚除脂肪量、体幹除脂肪量、両腕除脂肪量、両脚除脂肪量のうちの複数であることを特徴とする請求項１記載の体型適合度判定装置。
【請求項４】
前記特定分類分野が、特定の運動競技であることを特徴とする請求項１乃至３のいずれか一項に記載の体型適合度判定装置。
【請求項５】
前記適合度判定基準が、前記複数種の複合的体組成情報因子のそれぞれの適合範囲についてすべてを満足する範囲を対象体型の適合度とすることを特徴とする請求項１乃至４のいずれか一項に記載の体型適合度判定装置。
【発明の詳細な説明】
【技術分野】
【０００１】
本発明は、特定の分類分野（例えば、特定の運動競技）に主として属する者に備わる特有の体型に対する対象者の体型の適合度について判定する体型適合度判定装置に関する。
【背景技術】
【０００２】
従来、特許文献１や特許文献２に開示されるような装置を用いて、体重と脂肪量、脂肪量とＢＭＩ、除脂肪量とＢＭＩといったように複数の身体情報から体型の判定を行っていた。
【０００３】
特許文献１に開示される複数の身体情報から体型の判定を行う装置（美容診断装置）は、入力した体重及び算出した体脂肪の割合が体重と体脂肪の割合との関係を升目状に区分したうちのどこに該当するか、によって体型を判定するものである。例えば、入力した体重及び算出した体脂肪の割合が、特許文献１に記載の図９に示される升目状に区分した中央上部位置に該当する場合には、スポーツマンに多い体型であると判定するものである。
【０００４】
また、特許文献２に開示される複数の身体情報から体型の判定を行う装置（体型判定装置）は、算出したＦＭＩ及び算出したＢＭＩ（又は算出したＬＭＩ及び算出したＢＭＩ）がＦＭＩとＢＭＩと（又はＬＭＩとＢＭＩと）の関係を升目状に区分したうちのどこに該当するか、によって体型を判定するものである。例えば、算出したＦＭＩ及び算出したＢＭＩ（又は算出したＬＭＩ及び算出したＢＭＩ）が、特許文献２に記載の図８（又は図９）に示される升目状に区分した右中央直下部位置（又は右中央直上部位置）に該当する場合には、体格の良いアスリート体型であると判定するものである。
【特許文献１】特開平６−７８８２７号公報
【特許文献２】特開２００２−１２５９４７号公報
【発明の開示】
【発明が解決しようとする課題】
【０００５】
近年、例えば、対象者の体型がどの運動競技種目に属するアスリートに備わる特有の体型に該当しているのかといったように、より細かく、特定の分類分野に主として属する者に備わる特有の体型に対する対象者の体型の適合度について判定できる装置が、市場において要求されるようになってきた。
【０００６】
しかしながら、より細かく特定の分類分野に体型を分類するほど、体型を司る身体各部位の発達程度の差が顕著となることから、２つの全身に係る身体情報の関係から体型を判定する上記の各装置では、より細かく特定の分類分野に分類しての体型を判定するには限界があった。
【０００７】
そこで、本発明は、上記のような事情に鑑みて、特定の分類分野に主として属する者に備わる特有の体型に対する対象者の体型の適合度について判定する体型適合度判定装置を提供することを課題とする。
【課題を解決するための手段】
【０００８】
本発明の体型適合度判定装置は、対象体型を形成する身体部位の体組成情報を少なくとも含んだ体組成情報を取得する体組成情報取得手段と、対象体型を形成する身体部位の体組成情報を少なくとも含んだ体組成情報に基づいて特定分類分野特有体型を司る複数種の複合的体組成情報因子を演算するための複合的体組成情報因子演算式を記憶する複合的体組成情報因子演算式記憶手段と、前記体組成情報取得手段により取得した対象体型を形成する身体部位の体組成情報を少なくとも含んだ体組成情報を前記複合的体組成情報因子演算式記憶手段に記憶する複合的体組成情報因子演算式に代入することによって特定分類分野特有体型を司る複数種の複合的体組成情報因子を演算する複合的体組成情報因子演算手段と、特定分類分野特有体型を司る複数種の複合的体組成情報因子に基づいて特定分類分野特有体型に対する対象体型の適合度について判定するための適合度判定基準を記憶する適合度判定基準記憶手段と、前記複合的体組成情報因子演算手段により演算した特定分類分野特有体型を司る複数種の複合的体組成情報因子を前記適合度判定基準記憶手段に記憶する適合度判定基準に照合することによって特定分類分野特有体型に対する対象体型の適合度について判定する適合性判定手段と、を備える。
【０００９】
また、前記体組成情報取得手段は、男女の区別を取得するとともに、前記複合的体組成情報因子演算式記憶手段により記憶する複合的体組成情報因子演算式を成立させている身体部位の体組成情報を少なくとも含んだ体組成情報を取得し、前記複合的体組成情報因子演算式記憶手段は、男性用として、脂肪因子＝ａｍ１×左腕ＦＭＩ＋ａｍ２×右腕ＦＭＩ＋ａｍ３×左脚ＦＭＩ＋ａｍ４×右脚ＦＭＩ＋ａｍ５×体幹ＦＭＩ［ただし、ａｍ１、ａｍ２、ａｍ３、ａｍ４、ａｍ５は定数］、筋肉因子＝ｂｍ１×右腕ＬＭＩ＋ｂｍ２×左腕ＬＭＩ＋ｂｍ３×全身ＬＭＩ＋ｂｍ４×体幹ＬＭＩ［ただし、ｂｍ１、ｂｍ２、ｂｍ３、ｂｍ４は定数］、上肢優位因子＝ｃｍ１×右脚ＬＭＩ＋ｃｍ２×左脚ＬＭＩ＋ｃｍ３×両脚筋肉量／両腕筋肉量＋ｃｍ４×両脚脂肪量／両腕脂肪量［ただし、ｃｍ１、ｃｍ２、ｃｍ３、ｃｍ４は定数］、筋肉左右差因子＝ｄｍ１×（右腕筋肉量／左腕筋肉量−１）［ただし、ｄｍ１は定数］のうちの複数と、女性用として、脂肪因子＝ａｆ１×左腕ＦＭＩ＋ａｆ２×右腕ＦＭＩ＋ａｆ３×左脚ＦＭＩ＋ａｆ４×右脚ＦＭＩ＋ａｆ５×体幹ＦＭＩ［ただし、ａｆ１、ａｆ２、ａｆ３、ａｆ４、ａｆ５は定数］、脚部筋肉因子＝ｅｆ１×左脚ＬＭＩ＋ｅｆ２×右脚ＬＭＩ［ただし、ｅｆ１、ｅｆ２は定数］、上肢優位因子＝ｃｆ１×左腕ＬＭＩ＋ｃｆ２×右腕ＬＭＩ＋ｃｆ３×両脚筋肉量／両腕筋肉量＋ｃｆ４×体幹ＬＭＩ＋ｃｆ５×全身ＬＭＩ＋ｃｆ６×両脚脂肪量／両腕脂肪量［ただし、ｃｆ１、ｃｆ２、ｃｆ３、ｃｆ４、ｃｆ５、ｃｆ６は定数］、筋肉左右差因子＝ｄｆ１×（右腕筋肉量／左腕筋肉量−１）［ただし、ｄｆ１は定数］のうちの複数とを前記複合的体組成情報因子演算式として記憶し、前記複合的体組成情報因子演算手段は、前記体組成情報取得手段により取得した男女の区別に応じた前記複合的体組成情報因子演算式にて前記特定分類分野特有体型を司る複数種の複合的体組成情報因子を演算することを特徴とする。
【００１０】
また、前記身体部位の体組成情報が、左腕ＦＭＩ、右腕ＦＭＩ、左脚ＦＭＩ、右脚ＦＭＩ、体幹ＦＭＩ、左腕ＬＭＩ、右腕ＬＭＩ、左脚ＬＭＩ、右脚ＬＭＩ、体幹ＬＭＩ、左腕脂肪量、右腕脂肪量、左脚脂肪量、右脚脂肪量、体幹脂肪量、両腕脂肪量、両脚脂肪量、左腕筋肉量、右腕筋肉量、左脚筋肉量、右脚筋肉量、体幹筋肉量、両腕筋肉量、両脚筋肉量、左腕脂肪率、右腕脂肪率、左脚脂肪率、右脚脂肪率、体幹脂肪率、両腕脂肪率、両脚脂肪率、左腕除脂肪量、右腕除脂肪量、左脚除脂肪量、右脚除脂肪量、体幹除脂肪量、両腕除脂肪量、両脚除脂肪量のうちの複数であることを特徴とする。
【００１１】
また、前記特定分類分野が、特定の運動競技であることを特徴とする。
【００１２】
また、前記適合度判定基準が、前記複数種の複合的体組成情報因子のそれぞれの適合範囲についてすべてを満足する範囲を対象体型の適合度とすることを特徴とする。
【発明の効果】
【００１３】
本発明の体型適合度判定装置は、体組成情報取得手段によって、対象体型を形成する身体部位の体組成情報を少なくとも含んだ体組成情報を取得し、複合的体組成情報因子演算手段によって、この取得した対象体型を形成する身体部位の体組成情報を少なくとも含んだ体組成情報を複合的体組成情報因子演算式記憶手段に記憶する複合的体組成情報因子演算式に代入することによって特定分類分野特有体型を司る複数種の複合的体組成情報因子を演算し、適合性判定手段によって、この演算した特定分類分野特有体型を司る複数種の複合的体組成情報因子を適合度判定基準記憶手段に記憶する適合度判定基準に照合することによって特定分類分野特有体型に対する対象体型の適合度について判定するので、特定の分類分野に主として属する者に備わる特有の体型に対する対象者の体型の適合度について判定することができる。
【発明を実施するための最良の形態】
【００１４】
本発明の体型適合度判定装置は、体組成情報取得手段、複合的体組成情報因子演算式記憶手段、複合的体組成情報因子演算手段、適合度判定基準記憶手段及び適合性判定手段を備える。
【００１５】
体組成情報取得手段は、対象体型を形成する身体部位の体組成情報を少なくとも含んだ体組成情報を取得する。より具体的には、男女の区別を取得するとともに、複合的体組成情報因子演算式記憶手段により記憶する複合的体組成情報因子演算式を成立させている身体部位の体組成情報を少なくとも含んだ体組成情報を取得する。
【００１６】
ここで、身体部位とは、両腕、両脚、左腕、右腕、左脚、右脚、体幹その他の身体の一部分をいう。また、体組成情報とは、ＦＭＩ、ＬＭＩ、脂肪量、筋肉量、脂肪率、除脂肪量その他の体内成分についての指標をいう。
【００１７】
複合的体組成情報因子演算式記憶手段は、対象体型を形成する身体部位の体組成情報を少なくとも含んだ体組成情報に基づいて特定分類分野特有体型を司る複数種の複合的体組成情報因子を演算するための複合的体組成情報因子演算式を記憶する。
【００１８】
ここで、特定分類分野とは、特定の運動競技（例えば、野球、ラグビー、サッカー、バスケット、体操、水泳、投擲、柔道、シンクロナイズドスイミング、新体操、陸上短距離など）、特定の世代（１０代、２０代、３０代など）、特定の職業（例えば、モデル業、消防業、土木工事業など）その他の特定の共通な性質に基づいて括られる範囲をいう。
【００１９】
複合的体組成情報因子演算手段は、体組成情報取得手段により取得した対象体型を形成する身体部位の体組成情報を少なくとも含んだ体組成情報を複合的体組成情報因子演算式記憶手段に記憶する複合的体組成情報因子演算式に代入することによって特定分類分野特有体型を司る複数種の複合的体組成情報因子を演算する。
【００２０】
適合度判定基準記憶手段は、特定分類分野特有体型を司る複数種の複合的体組成情報因子に基づいて特定分類分野特有体型に対する対象体型の適合度について判定するための適合度判定基準を記憶する。
【００２１】
ここで、適合度判定基準は、より具体的には、前記複数種の複合的体組成情報因子におけるそれぞれの適合範囲についてすべてを満足する範囲を対象体型の適合度とするものである。
【００２２】
適合性判定手段は、複合的体組成情報因子演算手段により演算した特定分類分野特有体型を司る複数種の複合的体組成情報因子を適合度判定基準記憶手段に記憶する適合度判定基準に照合することによって特定分類分野特有体型に対する対象体型の適合度について判定する。
【００２３】
このように構成した体型適合度判定装置によると、体組成情報取得手段おいて、対象体型を形成する身体部位の体組成情報を少なくとも含んだ体組成情報を取得し、複合的体組成情報因子演算手段において、この取得した対象体型を形成する身体部位の体組成情報を少なくとも含んだ体組成情報を複合的体組成情報因子演算式記憶手段に記憶する複合的体組成情報因子演算式に代入することによって特定分類分野特有体型を司る複数種の複合的体組成情報因子を演算し、適合性判定手段において、この演算した特定分類分野特有体型を司る複数種の複合的体組成情報因子を適合度判定基準記憶手段に記憶する適合度判定基準に照合することによって特定分類分野特有体型に対する対象体型の適合度について判定する。したがって、特定の分類分野に主として属する者に備わる特有の体型に対する対象者の体型の適合度について判定することができる。
【００２４】
以下、上述した形態における実施例について具体的に説明する。
【実施例】
【００２５】
まず、図１に示す外観図、図２に示すブロック図を主として用いながら、本発明に係わる体型適合度判定装置の具体的な構成について説明する。
【００２６】
本発明に係わる体型適合度判定装置は、本体１００とグリップ体２００ａ、２００ｂとこれらを接続するコード３００ａ、３００ｂとにより構成する。そして、これらには、電力供給部１、入力部２、体重測定部３、電流供給部４、通電用電極切替部５、通電用電極６ａ、６ｂ、６ｃ、６ｄ、測定用電極７ａ、７ｂ、７ｃ、７ｄ、測定用電極切替部８、電圧測定部９、記憶部１０、表示部１１及び演算兼制御部１２を備える。
【００２７】
電力供給部１は、本体１００の内部に備わり、本装置の電気系統各部に電力を供給する。
【００２８】
入力部２は、個人別測定用キー２ａ、２ｂ、２ｃ、２ｄ、体重測定専用キー２ｅ及びタッチパネル式入力装置２ｆから成り、これらを本体１００の外部に備え、各種の入力をする。より具体的には、個人別測定用キー２ａ、２ｂ、２ｃ、２ｄは、本体１００の側面部に備え、各部位のインピーダンスの測定及び体重の測定のための入力をする。体重測定専用キー２ｅは、本体１００の側面部に備え、体重だけの測定のための入力をする。タッチパネル式入力装置２ｆは、本体１００の上面部に備え、本装置の電気系統各部への電力供給停止、身体特定化情報（年齢、性別、身長などの身体に係る属性や特徴を示す指標）の登録、対象体型の適合度の判定、測定結果の表示などのための入力をする。
【００２９】
体重測定部３は、本体１００の内外部に備わり、体重を測定する。より具体的には、公知の体重計の如き、重量検出部、増幅部、ＡＤ変換部、体重演算部などを基台１３及び載せ台１４の内部に備え、体重を測定する。
【００３０】
電流供給部４は、本体１００の内部に備わり、演算兼制御部１２からの制御により身体に流すための電流を発生する。
【００３１】
通電用電極切替部５は、本体１００の内部に備わり、演算兼制御部１２からの制御により電流を通じさせるための通電用電極６ａ、６ｂ、６ｃ、６ｄを選択する。
【００３２】
通電用電極６ａ、６ｂ、６ｃ、６ｄは、足裏と接触するための通電用電極６ａ、６ｂが載せ台１４に、手のひらと接触するための通電用電極６ｃ、６ｄがグリップ体２００ａ、２００ｂに備わり、これら通電用電極６ａ、６ｂ、６ｃ、６ｄのうち、一の通電用電極から身体を通して他のいずれかの通電用電極に電流を流す。
【００３３】
測定用電極７ａ、７ｂ、７ｃ、７ｄは、足裏と接触するための測定用電極７ａ、７ｂが載せ台に、手のひらと接触するための測定用電極７ｃ、７ｄがグリップ体２００ａ、２００ｂに備わり、一の通電用電極から他のいずれかの通電用電極に流された電流に基づいて身体に生じる電圧を検出する。
【００３４】
測定用電極切替部８は、本体１００の内部に備わり、演算兼制御部１２からの制御により電圧を検出するための測定用電極７ａ、７ｂ、７ｃ、７ｄを選択する。
【００３５】
電圧測定部９は、本体１００の内部に備わり、検出した電圧を増幅し、デジタル変換する。
【００３６】
記憶部１０は、本体１００の内部に備わり、
i）対象体型を形成する身体部位の体組成情報を少なくとも含んだ体組成情報（左腕ＦＭＩ、右腕ＦＭＩ、左脚ＦＭＩ、右脚ＦＭＩ、体幹ＦＭＩ、左腕ＬＭＩ、右腕ＬＭＩ、左脚ＬＭＩ、右脚ＬＭＩ、体幹ＬＭＩ、全身ＬＭＩ、両脚筋肉量、両腕筋肉量、両脚脂肪量、両腕脂肪量）を求めるための体組成回帰式、
ii）対象体型を形成する身体部位の体組成情報を少なくとも含んだ体組成情報に基づいて特定分類分野特有体型（男性の場合：野球・ラグビー・サッカー競技体型、バスケット・体操・水泳競技体型、投擲・柔道競技体型、女性の場合：陸上短距離・新体操競技体型、バレーボール・体操競技体型、バスケットボール・水泳・シンクロナイズドスイミング競技体型）を司る複数種の複合的体組成情報因子（脂肪因子、上肢優位因子）を演算するための複合的体組成情報因子演算式（（１）式〜（４）式）、
iii）特定分類分野特有体型を司る複数種の複合的体組成情報因子に基づいて特定分類分野特有体型に対する対象体型の適合度（８０％、６０％、４０％、０％）について判定するための適合度判定基準（男性の場合には、図６（ａ）のａ囲内の範囲、ａｂ間の範囲、ｂｃ間の範囲、ｃ囲外の範囲、ｄ囲内の範囲、ｄｅ間の範囲、ｅｆ間の範囲、ｆ囲外の範囲、ｇ囲内の範囲、ｇｈ間の範囲、ｈｉ間の範囲、ｉ囲外の範囲、女性の場合には、図６（ｂ）のｊ囲内の範囲、ｊｋ間の範囲、ｋｌ間の範囲、ｌ囲外の範囲、ｍ囲内の範囲、ｍｎ間の範囲、ｎｏ間の範囲、ｏ囲外の範囲、ｐ囲内の範囲、ｐｑ間の範囲、ｑｒ間の範囲、ｒ囲外の範囲）、
iv）その他演算・制御などをするためのプログラムや各種入力データや各種結果データ、
を記憶する。
【００３７】
ここで、複合的体組成情報因子演算式（（１）式〜（４）式）は、多くの者を対象とした身体部位の体組成情報を少なくとも含んだ体組成情報を基に因子分析することによって予め求めたものであり、次に示すものである。
脂肪因子＝ａｍ１×左腕ＦＭＩ＋ａｍ２×右腕ＦＭＩ＋ａｍ３×左脚ＦＭＩ
＋ａｍ４×右脚ＦＭＩ＋ａｍ５×体幹ＦＭＩ  ・・・（１）
［ただし、ａｍ１、ａｍ２、ａｍ３、ａｍ４、ａｍ５は男性用定数］
上肢優位因子＝ｃｍ１×右脚ＬＭＩ＋ｃｍ２×左脚ＬＭＩ
＋ｃｍ３×両脚筋肉量／両腕筋肉量
＋ｃｍ４×両脚脂肪量／両腕脂肪量  ・・・（２）
［ただし、ｃｍ１、ｃｍ２、ｃｍ３、ｃｍ４は男性用定数］
脂肪因子＝ａｆ１×左腕ＦＭＩ＋ａｆ２×右腕ＦＭＩ＋ａｆ３×左脚ＦＭＩ
＋ａｆ４×右脚ＦＭＩ＋ａｆ５×体幹ＦＭＩ  ・・・（３）
［ただし、ａｆ１、ａｆ２、ａｆ３、ａｆ４、ａｆ５は女性用定数］
上肢優位因子＝ｃｆ１×左腕ＬＭＩ＋ｃｆ２×右腕ＬＭＩ
＋ｃｆ３×両脚筋肉量／両腕筋肉量
＋ｃｆ４×体幹ＬＭＩ＋ｃｆ５×全身ＬＭＩ
＋ｃｆ６×両脚脂肪量／両腕脂肪量  ・・・（４）
［ただし、ｃｆ１、ｃｆ２、ｃｆ３、ｃｆ４、ｃｆ５、ｃｆ６は女性用定数］
【００３８】
また、適合度判定基準は、多くの者を対象とした複数種の複合的体組成情報因子を基にクラスター分析することによって予め求めたものである。
【００３９】
表示部１１は、本体１００の外部（上面部）に備わり、対象体型の適合度の判定結果、身体の全体又は各部位の体組成情報（脂肪率、筋肉量）の結果、入力結果などについての表示をする。
【００４０】
演算兼制御部１２は、本体１００の内部に備わり、次のi）〜iv）を含んだ各種の演算及び制御を行う。
i）電圧測定部９からの各部位間において検出した電圧に基づいて各部位のインピーダンス（レジスタンス成分、リアクタンス成分、位相差）を演算する。
ii）各部位のインピーダンスなどに基づいて対象体型を形成する身体部位の体組成情報を少なくとも含んだ体組成情報（左腕ＦＭＩ、右腕ＦＭＩ、左脚ＦＭＩ、右脚ＦＭＩ、体幹ＦＭＩ、左腕ＬＭＩ、右腕ＬＭＩ、左脚ＬＭＩ、右脚ＬＭＩ、体幹ＬＭＩ、全身ＬＭＩ、両脚筋肉量、両腕筋肉量、両脚脂肪量、両腕脂肪量）を演算する。
iii）対象体型を形成する身体部位の体組成情報を少なくとも含んだ体組成情報を複合的体組成情報因子演算式（（１）式〜（４）式）に代入することによって特定分類分野特有体型（男性の場合：野球・ラグビー・サッカー競技体型、バスケット・体操・水泳競技体型、投擲・柔道競技体型、女性の場合：陸上短距離・新体操競技体型、バレーボール・体操競技体型、バスケットボール・水泳・シンクロナイズドスイミング競技体型）を司る複数種の複合的体組成情報因子（脂肪因子、上肢優位因子）を演算する。
iv）特定分類分野特有体型を司る複数種の複合的体組成情報因子を前記適合度判定基準記憶手段に記憶する適合度判定基準に照合することによって特定分類分野特有体型に対する対象体型の適合度（８０％、６０％、４０％、０％）について判定する。
【００４１】
なお、電力供給部１、入力部２、体重測定部３、電流供給部４、通電用電極切替部５、通電用電極６ａ、６ｂ、６ｃ、６ｄ、測定用電極７ａ、７ｂ、７ｃ、７ｄ、測定用電極切替部８、電圧測定部９及び演算兼制御部１２による構成は、体組成情報取得手段に該当する。また、記憶部１０による構成は、複合的体組成情報因子演算式記憶手段及び適合度判定基準記憶手段に該当する。更に、演算兼制御部１２による構成は、複合的体組成情報因子演算手段及び適合性判定手段に該当する。
【００４２】
次に、図３に示すフローチャートを主として用いながら、本発明に係わる体型適合度判定装置の操作及び動作について説明する。
【００４３】
まず、タッチパネル式入力装置２ｆの電源ボタンが押されると、電力供給部１において本装置の電気系統各部に電力を供給する。次いで、タッチパネル式入力装置２ｆの△ボタン、▽ボタン、設定ボタンが押されると年齢、性別、身長を入力する。次いで、記憶部１０においてこれら年齢、性別、身長を記憶する（ステップＳ１）。
【００４４】
続いて、対象者が、通電用電極６ａ、６ｂと測定用電極７ａ、７ｂとに足裏が接触するように本体１００（載せ台１４）に乗り、通電用電極６ｃ、６ｄと測定用電極７ｃ、７ｄとに手のひらが接触するようにグリップ体２００ａ、２００ｂを握ると、体重測定部３において体重を測定し、記憶部１０においてこの体重を記憶する（ステップＳ２）。
【００４５】
続いて、電流供給部４において電流を発生し、演算兼制御部１２において通電用電極切替部５による通電用電極６ａ、６ｂ、６ｃ、６ｄの選択と測定用電極切替部８による測定用電極７ａ、７ｂ、７ｃ、７ｄの選択との組み合わせを駆使することによって、電圧測定部９による検出・増幅・デジタル変換した電圧に基づいた全身インピーダンス、各部位（左腕、右腕、左脚、右脚、体幹、両腕、両脚）インピーダンスを演算し、記憶部１０においてこれら全身インピーダンス、各部位（左腕、右腕、左脚、右脚、体幹、両腕、両脚）インピーダンスを記憶する（ステップＳ３）。
【００４６】
続いて、演算兼制御部１２において、記憶部１０に記憶した年齢、性別、身長、体重、全身インピーダンス、各部位（左腕、右腕、左脚、右脚、体幹、両腕、両脚）インピーダンスに基づいて、全身及び各部位（左腕、右腕、左脚、右脚、体幹、両腕、両脚）についての各種体組成情報（脂肪率、除脂肪量、骨量、筋肉量、脂肪量、ＬＭＩ、ＦＭＩ）を演算する（ステップＳ４）。
【００４７】
続いて、演算兼制御部１２において、記憶部１０に記憶する性別が、男性の場合には、これら演算した各種体組成情報のうちの左腕ＦＭＩ、右腕ＦＭＩ、左脚ＦＭＩ、右脚ＦＭＩ、体幹ＦＭＩを記憶部１０に記憶する複合的体組成情報因子演算式（１）に代入することによって脂肪因子を演算し、右脚ＬＭＩ、左脚ＬＭＩ、両脚筋肉量、両腕筋肉量、両脚脂肪量、両腕脂肪量を記憶部１０に記憶する複合的体組成情報因子演算式（２）代入することによって上肢優位因子を演算し、女性の場合には、左腕ＦＭＩ、右腕ＦＭＩ、左脚ＦＭＩ、右脚ＦＭＩ、体幹ＦＭＩを記憶部１０に記憶する複合的体組成情報因子演算式（３）に代入することによって脂肪因子を演算し、左腕ＬＭＩ、右腕ＬＭＩ、両脚筋肉量、両腕筋肉量、体幹ＬＭＩ、全身ＬＭＩ、両脚脂肪量、両腕脂肪量を記憶部１０に記憶する複合的体組成情報因子演算式（４）に代入することによって上肢優位因子を演算する（ステップＳ５）。
【００４８】
続いて、演算兼制御部１２において、これら演算した複数種の複合的体組成情報因子（男性の場合の脂肪因子及び上肢優位因子、女性の場合の脂肪因子及び上肢優位因子）を記憶部１０に記憶する適合度判定基準（男性の場合には、図６（ａ）のａ囲内の範囲、ａｂ間の範囲、ｂｃ間の範囲、ｃ囲外の範囲、ｄ囲内の範囲、ｄｅ間の範囲、ｅｆ間の範囲、ｆ囲外の範囲、ｇ囲内の範囲、ｇｈ間の範囲、ｈｉ間の範囲、ｉ囲外の範囲、女性の場合には、図６（ｂ）のｊ囲内の範囲、ｊｋ間の範囲、ｋｌ間の範囲、ｌ囲外の範囲、ｍ囲内の範囲、ｍｎ間の範囲、ｎｏ間の範囲、ｏ囲外の範囲、ｐ囲内の範囲、ｐｑ間の範囲、ｑｒ間の範囲、ｒ囲外の範囲）に照合することによって特定分類分野特有体型（男性の場合には、野球・ラグビー・サッカー競技体型、バスケット・体操・水泳競技体型、投擲・柔道競技体型、女性の場合には、陸上短距離・新体操競技体型、バレーボール・体操競技体型、バスケットボール・水泳・シンクロナイズドスイミング競技体型）に対する対象体型の適合度（８０％、６０％、４０％、０％）について判定する（ステップＳ６）。
【００４９】
より具体的には、男性の場合において、演算した脂肪因子と上肢優位因子とが、図６（ａ）のａ囲内の範囲（４.６０<脂肪因子≦５.９７かつ１２.８８<上肢優位因子≦１３.５４）であるときには、野球・ラグビー・サッカー競技体型に対する対象体型（対象者の体型）の適合度を８０％と判定し、図６（ａ）のａｂ間の範囲（３.９１<脂肪因子≦６.６６かつ１２.５５<上肢優位因子≦１３.８７）であるときには、野球・ラグビー・サッカー競技体型に対する対象体型（対象者の体型）の適合度を６０％と判定し、図６（ａ）のｂｃ間の範囲（３.２３<脂肪因子≦７.３５かつ１２.２２<上肢優位因子≦１４.２０）であるときには、野球・ラグビー・サッカー競技体型に対する対象体型（対象者の体型）の適合度を４０％と判定し、図６（ａ）のｃ囲外の範囲（脂肪因子<３.２３及び７.３５≦脂肪因子かつ上肢優位因子≦１２.２２及び１４.２０<上肢優位因子）であるときには、野球・ラグビー・サッカー競技体型に対する対象体型（対象者の体型）の適合度を０％と判定する。また、演算した脂肪因子と上肢優位因子とが、図６（ａ）のｄ囲内の範囲（３.９２<脂肪因子≦４.８２かつ１１.８８<上肢優位因子≦１２.３９）であるときには、バスケット・体操・水泳競技体型に対する対象体型（対象者の体型）の適合度を８０％と判定し、図６（ａ）のｄｅ間の範囲（３.４７<脂肪因子≦５.２７かつ１１.６２<上肢優位因子≦１２.６５）であるときには、バスケット・体操・水泳競技体型に対する対象体型（対象者の体型）の適合度を６０％と判定し、図６（ａ）のｅｆ間の範囲（３.０２<脂肪因子≦５.７２かつ１１.３７<上肢優位因子≦１２.９０）であるときには、バスケット・体操・水泳競技体型に対する対象体型（対象者の体型）の適合度を４０％と判定し、図６（ａ）のｆ囲外の範囲（脂肪因子<３.０２及び５.７２≦脂肪因子かつ上肢優位因子≦１１.３７及び１２.９０<上肢優位因子）であるときには、バスケット・体操・水泳競技体型に対する対象体型（対象者の体型）の適合度を０％と判定する。更に、演算した脂肪因子と上肢優位因子とが、図６（ａ）のｇ囲内の範囲（８.１１<脂肪因子≦１０.７３かつ１２.９９<上肢優位因子≦１３.６４）であるときには、投擲・柔道競技体型に対する対象体型（対象者の体型）の適合度を８０％と判定し、図６（ａ）のｇｈ間の範囲（６.８０<脂肪因子≦１２.０５かつ１２.６７<上肢優位因子≦１３.９７）であるときには、投擲・柔道競技体型に対する対象体型（対象者の体型）の適合度を６０％と判定し、図６（ａ）のｈｉ間の範囲（５.４９<脂肪因子≦１３.３６かつ１２.３４<上肢優位因子≦１４.２９）であるときには、投擲・柔道競技体型に対する対象体型（対象者の体型）の適合度を４０％と判定し、図６（ａ）のｉ囲外の範囲（脂肪因子<５.４９及び１３.３６≦脂肪因子かつ上肢優位因子≦１２.３４及び１４.２９<上肢優位因子）であるときには、投擲・柔道競技体型に対する対象体型（対象者の体型）の適合度を０％と判定する。一方、女性の場合において、演算した脂肪因子と上肢優位因子とが、図６（ｂ）のｊ囲内の範囲であるときには、陸上短距離・新体操競技体型に対する対象体型（対象者の体型）の適合度を８０％と判定し、図６（ｂ）のｊｋ間の範囲であるときには、陸上短距離・新体操競技体型に対する対象体型（対象者の体型）の適合度を６０％と判定し、図６（ｂ）のｋｌ間の範囲であるときには、陸上短距離・新体操競技体型に対する対象体型（対象者の体型）の適合度を４０％と判定し、図６（ｂ）のｌ囲外の範囲であるときには、陸上短距離・新体操競技体型に対する対象体型（対象者の体型）の適合度を０％と判定する。また、演算した脂肪因子と上肢優位因子とが、図６（ｂ）のｍ囲内の範囲であるときには、バレーボール・体操競技体型に対する対象体型（対象者の体型）の適合度を８０％と判定し、図６（ｂ）のｍｎ間の範囲であるときには、バレーボール・体操競技体型に対する対象体型（対象者の体型）の適合度を６０％と判定し、図６（ｂ）のｎｏ間の範囲であるときには、バレーボール・体操競技体型に対する対象体型（対象者の体型）の適合度を４０％と判定し、図６（ｂ）のｏ囲外の範囲であるときには、バレーボール・体操競技体型に対する対象体型（対象者の体型）の適合度を０％と判定する。更に、演算した脂肪因子と上肢優位因子とが、図６（ｂ）のｐ囲内の範囲であるときには、バスケットボール・水泳・シンクロナイズドスイミング競技体型に対する対象体型（対象者の体型）の適合度を８０％と判定し、図６（ｂ）のｐｑ間の範囲であるときには、バスケットボール・水泳・シンクロナイズドスイミング競技体型に対する対象体型（対象者の体型）の適合度を６０％と判定し、図６（ｂ）のｑｒ間の範囲であるときには、バスケットボール・水泳・シンクロナイズドスイミング競技体型に対する対象体型（対象者の体型）の適合度を４０％と判定し、図６（ｂ）のｒ囲外の範囲であるときには、バスケットボール・水泳・シンクロナイズドスイミング競技体型に対する対象体型（対象者の体型）の適合度を０％と判定する。
【００５０】
続いて、演算兼制御部１２において、図４に示すタッチパネル式入力装置２ｆの表示選択ボタン（体型判定ボタン、ＴＯボタン、ＬＨボタン、ＲＨボタン、ＴＲボタン、ＬＬボタン、ＲＬボタン）のうちのいずれが押されたかを判定する（ステップＳ７）。
【００５１】
続いて、押されたと判定された表示選択ボタンに該当する結果を表示部１１に表示する。より具体的には、体型判定ボタンが押されると、先に判定した特定分類分野特有体型に対する対象体型の適合度の結果を図５に示すように表示部１１に表示する（ステップＳ８）。
【００５２】
以上のような一連の流れを経て操作及び動作についての処理が終了する。
【００５３】
なお、上述した実施例における体型適合度判定装置は、脂肪因子、上肢優位因子を基に競技分野についてクラスター分析することによって予め求めた適合度判定基準に照合することによって、特定の運動競技に主として属する者に備わる特有の体型に対する対象者の体型の適合度について判定したが、世代分野又は職業分野についてクラスター分析することによって予め求めた適合度判定基準に照合することによって、特定の世代（１０代、２０代、３０代など）又は特定の職業（例えば、モデル業、消防業、土木工事業など）に主として属する者に備わる特有の体型に対する対象者の体型の適合度について判定しても同様に実施可能である。
【００５４】
また、複合的体組成情報因子演算式（（１）式〜（４）式）により求められる脂肪因子、上肢優位因子を基に競技分野についてクラスター分析することによって予め求めた適合度判定基準に照合したが、脂肪因子や上肢優位因子の代わりに、下記の複合的体組成情報因子演算式（（５）式〜（８）式）により求められる筋肉因子や筋肉左右差因子を基に競技分野についてクラスター分析することによって予め求めた適合度判定基準に照合することも同様に実施可能である。
筋肉因子＝ｂｍ１×右腕ＬＭＩ＋ｂｍ２×左腕ＬＭＩ
＋ｂｍ３×全身ＬＭＩ＋ｂｍ４×体幹ＬＭＩ  ・・・（５）
［ただし、ｂｍ１、ｂｍ２、ｂｍ３、ｂｍ４は男性用定数］
筋肉左右差因子＝ｄｍ１×（右腕筋肉量／左腕筋肉量−１）  ・・・・・・・・（６）
［ただし、ｄｍ１は男性用定数］
腹部筋肉因子＝ｅｆ１×左脚ＬＭＩ＋ｅｆ２×右脚ＬＭＩ  ・・・・・・・・・（７）
［ただし、ｅｆ１、ｅｆ２は女性用定数］
筋肉左右差因子＝ｄｆ１×（右腕筋肉量／左腕筋肉量−１）  ・・・・・・・・（８）
［ただし、ｄｆ１は女性用定数］
【００５５】
また、上記において、複合的体組成情報因子演算式（（１）式〜（８）式）を成立させている身体部位の体組成情報に、左腕ＦＭＩ、右腕ＦＭＩ、左脚ＦＭＩ、右脚ＦＭＩ、体幹ＦＭＩ、左腕ＬＭＩ、右腕ＬＭＩ、左脚ＬＭＩ、右脚ＬＭＩ、体幹ＬＭＩ、両腕脂肪量、両脚脂肪量、両腕筋肉量、両脚筋肉量、左腕筋肉量、右腕筋肉量を用いたが、左腕脂肪量、右腕脂肪量、左脚脂肪量、右脚脂肪量、体幹脂肪量、両腕脂肪量、両脚脂肪量、左腕筋肉量、右腕筋肉量、左脚筋肉量、右脚筋肉量、体幹筋肉量、左脚筋肉量、右脚筋肉量、体幹筋肉量、左腕脂肪率、右腕脂肪率、左脚脂肪率、右脚脂肪率、体幹脂肪率、両腕脂肪率、両脚脂肪率、左腕除脂肪量、右腕除脂肪量、左脚除脂肪量、右脚除脂肪量、体幹除脂肪量、両腕除脂肪量、両脚除脂肪量などを用いてもよい。
【図面の簡単な説明】
【００５６】
【図１】本発明に係わる体型適合度判定装置の外観図である。
【図２】本発明に係わる体型適合度判定装置の全体構成を示すブロック図である。
【図３】本発明に係わる体型適合度判定装置の操作及び動作の手順を示すフローチャート図である。
【図４】タッチパネル式入力装置の各種ボタンを示す図である。
【図５】特定分類分野特有体型に対する対象体型の適合度の結果を表示部に表した図である。
【図６】適合度判定基準を示す図である。
【符号の説明】
【００５７】
１  電力供給部
２  入力部
２ａ、２ｂ、２ｃ、２ｄ  個人別測定用キー
２ｅ  体重測定専用キー
２ｆ  タッチパネル式入力装置
３  体重測定部
４  電流供給部
５  通電用電極切替部
６ａ、６ｂ、６ｃ、６ｄ  通電用電極
７ａ、７ｂ、７ｃ、７ｄ  測定用電極
８  測定用電極切替部
９  電圧測定部
１０  記憶部
１１  表示部
１２  演算兼制御部
１３  基台
１４  載せ台
１００  本体
２００ａ、２００ｂ  グリップ体
３００ａ、３００ｂ  コード
【図１】
2007082738.tif 000003
【図２】
2007082738.tif 000004
【図３】
2007082738.tif 000005
【図４】
2007082738.tif 000006
【図５】
2007082738.tif 000007
【図６】
2007082738.tif 000008